【手続補正書】
【提出日】平成24年3月7日(2012.3.7)
【手続補正１】
【補正対象書類名】特許請求の範囲
【補正対象項目名】全文
【補正方法】変更
【補正の内容】
【特許請求の範囲】
【請求項１】
底面部及びこの底面部の両側から上方に連続する一対の側壁部により樋形状に構成され、前記一対の側壁部に通孔部がそれぞれ設けられたベースケースと；
天板部及びこの天板部の両側から連続してベースケースの一対の側壁部に重なるように形成された一対の側板部を有し、ベースケースにおける一対の側壁部に形成された前記通孔部の底面部側及び底部側以外の方向にそれぞれに通孔部を介してベースケースの内側に折り込まれる第１及び第２の爪部が形成された爪孔部を備えたカバーケースと；
ベースケースとカバーケースの内側面に沿って配置され、端部が重ねられた絶縁シートと；
電気部品を実装した回路基板により構成され、回路基板が絶縁シートを介してベースケースの底面部側に配置された電気回路と；
を具備することを特徴とする電気機器。
【請求項２】
前記爪孔部の第１の爪部は下方から上方へ、第２の爪部は上方から下方または左右方向へそれぞれの先端が延在すると共に、互いに隣接するように前記爪孔部内に設けられていることを特徴とする請求項１に記載の電気機器。
【請求項３】
ベースケースの一対の側壁部に形成され、絶縁シートを介して回路基板をベースケースの底面部側へ押えて固定する回路基板固定部を具備することを特徴とする請求項１または２に記載の電気機器。
【請求項４】
ベースケースの両側面と底面、カバーケースの両側面には、ベースケースとカバーケースの中心を軸として１８０度の平面回転対称となる位置に各部材が形成されていることを特徴とする請求項１乃至３のいずれか１項に記載の電気機器。
【請求項５】
天板部における長手方向の両端には、天板部に対しほぼ直交し、カバーケースの側板部との間隔が下方から天板部へ向かって狭くなるテーパ部を有する端板部が形成されていることを特徴とする請求項１乃至４のいずれか１項に記載の電気機器。
【請求項６】
放電ランプ用点灯回路を有する電気回路が備えられた請求項１乃至５のいずれか１項に記載の電気機器により構成されることを特徴とする放電ランプ点灯装置。
【請求項７】
請求項６に記載の放電ランプ点灯装置と；
この放電ランプ点灯装置により点灯される放電ランプと；
放電ランプ点灯装置及び放電ランプを配置している器具本体と；
を具備していることを特徴とする照明器具。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】変更
【補正の内容】
【００１２】
請求項１の本発明に係る電気機器は、底面部及びこの底面部の両側から上方に連続する一対の側壁部により樋形状に構成され、前記一対の側壁部に通孔部がそれぞれ設けられたベースケースと；天板部及びこの天板部の両側から連続してベースケースの一対の側壁部に重なるように形成された一対の側板部を有し、ベースケースにおける一対の側壁部に形成された前記通孔部の底面部側及び底部側以外の方向にそれぞれに通孔部を介してベースケースの内側に折り込まれる第１及び第２の爪部が形成された爪孔部を備えたカバーケースと；ベースケースとカバーケースの内側面に沿って配置され、端部が重ねられた絶縁シートと；電気部品を実装した回路基板により構成され、回路基板が絶縁シートを介してベースケースの底面部側に配置された電気回路と；を具備することを特徴とする。
【手続補正４】
【補正対象書類名】明細書
【補正対象項目名】００１３
【補正方法】変更
【補正の内容】
【００１３】
請求項１の本発明によれば、爪部によって回路基板を固定すると共にカバーケースの脱落を防止できる。
【手続補正５】
【補正対象書類名】明細書
【補正対象項目名】００１４
【補正方法】変更
【補正の内容】
【００１４】
上記請求項１の本発明において、第１の爪部は回路基板を固定し、第２の爪部はベースケースからの脱落防止機能を果たす。これは、カバーケースがベースケースから抜け落ちる危険性を回避する全ての構成を指す。孔部、爪孔部や爪部の数、爪部の基部から先端へ向かう方向等は適宜選択される。
【手続補正６】
【補正対象書類名】明細書
【補正対象項目名】００１５
【補正方法】変更
【補正の内容】
【００１５】
請求項２の本発明に係る電気機器では、前記爪孔部の第１の爪部は下方から上方へ、第２の爪部は上方から下方または左右方向へそれぞれの先端が延在すると共に、互いに隣接するように前記爪孔部内に設けられていることを特徴とする。
【手続補正７】
【補正対象書類名】明細書
【補正対象項目名】００１６
【補正方法】変更
【補正の内容】
【００１６】
請求項３の本発明に係る電気機器では、ベースケースの一対の側壁部に形成され、絶縁シートを介して回路基板をベースケースの底面部側へ押えて固定する回路基板固定部を具備することを特徴とする。
【手続補正８】
【補正対象書類名】明細書
【補正対象項目名】００１７
【補正方法】変更
【補正の内容】
【００１７】
請求項４の本発明に係る電気機器では、ベースケースの両側面と底面、カバーケースの両側面には、ベースケースとカバーケースの中心を軸として１８０度の平面回転対称となる位置に各部材が形成されていることを特徴とする。
【手続補正９】
【補正対象書類名】明細書
【補正対象項目名】００１８
【補正方法】変更
【補正の内容】
【００１８】
上記請求項４の本発明において、部材とは、爪部、通孔部、爪孔部、回路基板固定部などのすべての形成された部材を指す。
【手続補正１０】
【補正対象書類名】明細書
【補正対象項目名】００１９
【補正方法】変更
【補正の内容】
【００１９】
請求項５の本発明に係る電気機器では、天板部における長手方向の両端には、天板部に対しほぼ直交し、カバーケースの側板部との間隔が下方から天板部へ向かって狭くなるテーパ部を有する端板部が形成されていることを特徴とする。
【手続補正１１】
【補正対象書類名】明細書
【補正対象項目名】００２０
【補正方法】変更
【補正の内容】
【００２０】
請求項６の本発明に係る放電ランプ点灯装置は、放電ランプ用点灯回路を有する電気回路が備えられた請求項１乃至５のいずれか１項に記載の電気機器により構成されることを特徴とする。
【手続補正１２】
【補正対象書類名】明細書
【補正対象項目名】００２１
【補正方法】変更
【補正の内容】
【００２１】
請求項７の本発明に係る照明器具は、請求項６に記載の放電ランプ点灯装置と；この放電ランプ点灯装置により点灯される放電ランプと；放電ランプ点灯装置及び放電ランプを配置している器具本体と；を具備していることを特徴とする。
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】変更
【補正の内容】
【００２３】
請求項１の本発明に係る電気機器によれば、爪孔部に回路基板固定機能の第１の爪部が備えられ、爪孔部にはベースケースからの脱落防止機能を有する第２の爪部が備えられているので、カバーケースとベースケースを重ねたときの同一位置において第１及び第２の爪部を一度に折り曲げることができ、これにより回路基板の固定と、カバーケースのベースケースからの抜け落ちの防止を実現できる。
【手続補正１５】
【補正対象書類名】明細書
【補正対象項目名】００２４
【補正方法】変更
【補正の内容】
【００２４】
請求項２の本発明に係る電気機器によれば、前記爪孔部の第１の爪部は下方から上方へ、第２の爪部は上方から下方または左右方向へそれぞれの先端が延在すると共に、互いに隣接するように前記爪孔部内に設けられているので、爪孔部において第１及び第２の爪部の長さを大きく形成でき、小さな力でこれらの爪部を一度に折り曲げることができる。
【手続補正１６】
【補正対象書類名】明細書
【補正対象項目名】００２５
【補正方法】変更
【補正の内容】
【００２５】
請求項３の本発明に係る電気機器によれば、絶縁シートを介して回路基板をベースケースの底面部側へ押えて固定する回路基板固定部がベースケースの一対の側壁部に形成されているので、絶縁シートなどにより適切な位置へ収まっていない回路基板を確実に固定することができる。
【手続補正１７】
【補正対象書類名】明細書
【補正対象項目名】００２６
【補正方法】変更
【補正の内容】
【００２６】
請求項４の本発明に係る電気機器によれば、ベースケースの両側面と底面、カバーケースの両側面には、ベースケースとカバーケースの中心を軸として１８０度の平面回転対称となる位置に各部材が形成されているので、ベースケースとカバーケースとは、方向の調整を行うことなく組み立て作業などを行うことができ、効率よく作業を行うことができる。
【手続補正１８】
【補正対象書類名】明細書
【補正対象項目名】００２７
【補正方法】変更
【補正の内容】
【００２７】
請求項５の本発明に係る電気機器によれば、天板部における長手方向の両端には、天板部に対しほぼ直交し、カバーケースの側板部との間隔が下方から天板部へ向かって狭くなるテーパ部を有する端板部が形成されているので、絶縁シートの端部がこのテーパ部に沿って収納されるように機能し、端板部によって絶縁シートが回路基板側に折り曲げられて挟み込まれる不具合を防止することが可能である。
【手続補正１９】
【補正対象書類名】明細書
【補正対象項目名】００２８
【補正方法】変更
【補正の内容】
【００２８】
請求項６の本発明によれば、請求項１乃至５のいずれか１項に記載の電気機器を備えた放電ランプ点灯装置を提供することができる。
【手続補正２０】
【補正対象書類名】明細書
【補正対象項目名】００２９
【補正方法】変更
【補正の内容】
【００２９】
本請求項７の本発明によれば、請求項６に記載の放電ランプ点灯装置を備えた照明器具を提供することができる。